(57)【要約】【課題】放熱性が向上する拡散カバー、それを用いた照明ランプ、照明装置及びその拡散カバーの製造方法を提供する。【解決手段】拡散カバー２は、発光部１１が収容される光透過性のカバー本体３と、カバー本体３に設けられ、発光部１１から出射された光を拡散し、熱伝導性物質５を備えた拡散膜４と、を有する。【選択図】図４
2015220137.tif 000002
【特許請求の範囲】
【請求項１】
発光部が収容される光透過性のカバー本体と、
前記カバー本体に設けられ、前記発光部から出射された光を拡散し、熱伝導性物質を備えた拡散膜と、を有する
ことを特徴とする拡散カバー。
【請求項２】
前記拡散膜は、基材に前記熱伝導性物質が添加されたものである
ことを特徴とする請求項１記載の拡散カバー。
【請求項３】
前記拡散膜は、前記基材に、前記発光部から出射された光を拡散する拡散材が添加されたものである
ことを特徴とする請求項２記載の拡散カバー。
【請求項４】
前記拡散膜における前記基材は、
前記発光部から出射された光を拡散する空洞を有する
ことを特徴とする請求項２又は３記載の拡散カバー。
【請求項５】
前記熱伝導性物質は、
熱伝導性を備えた熱伝導粒体を有する
ことを特徴とする請求項１〜４のいずれか１項に記載の拡散カバー。
【請求項６】
前記熱伝導性物質は、
表面に熱伝導加工が施された熱伝導拡散材を有する
ことを特徴とする請求項１〜５のいずれか１項に記載の拡散カバー。
【請求項７】
前記発光部は、
熱伝導部材の上に載置された状態で前記カバー本体に収容されており、
前記拡散膜は、
前記カバー本体と前記熱伝導部材とが接触している部分に形成されている
ことを特徴とする請求項１〜６のいずれか１項に記載の拡散カバー。
【請求項８】
前記拡散膜は、
前記カバー本体の外壁面に形成された外面拡散膜を有する
ことを特徴とする請求項１〜７のいずれか１項に記載の拡散カバー。
【請求項９】
前記拡散膜は、
前記カバー本体の内壁面に形成された内面拡散膜を有する
ことを特徴とする請求項１〜８のいずれか１項に記載の拡散カバー。
【請求項１０】
前記発光部と、
請求項１〜９のいずれか１項に記載の拡散カバーと、を有する
ことを特徴とする照明ランプ。
【請求項１１】
前記拡散カバーが、直管の形状をなしている
ことを特徴とする請求項１０記載の照明ランプ。
【請求項１２】
前記拡散カバーが、電球のグローブの形状をなしている
ことを特徴とする請求項１０記載の照明ランプ。
【請求項１３】
請求項１０〜１２のいずれか１項に記載の照明ランプと、
前記照明ランプが取り付けられる照明器具と、を有する
ことを特徴とする照明装置。
【請求項１４】
基材に拡散材及び熱伝導性物質を添加する工程と、
光透過性のカバー本体に、溶剤で液状化された前記基材を塗布する工程と、
前記基材を乾燥及び硬化して、前記カバー本体に、前記拡散材及び前記熱伝導性物質を備えた拡散膜を形成する工程と、を有する
ことを特徴とする拡散カバーの製造方法。
【請求項１５】
基材に熱伝導性物質を添加する工程と、
光透過性のカバー本体に、溶剤で液状化された前記基材を塗布する工程と、
前記基材を乾燥及び硬化して、光を拡散する空洞を前記基材に生成して、前記カバー本体に、前記熱伝導性物質を備えた拡散膜を形成する工程と、を有する
ことを特徴とする拡散カバーの製造方法。
【発明の詳細な説明】
【技術分野】
【０００１】
本発明は、光を拡散する拡散カバー、それを用いた照明ランプ、照明装置及びその拡散カバーの製造方法に関する。
【背景技術】
【０００２】
ＬＥＤ等の固体発光素子を光源とする照明ランプにおいて、例えば光源から発生した熱を逃がすため、従来から、様々な放熱技術が提案されている。特許文献１には、複数のＬＥＤ素子を表面に備える基板と、その基板が内部に格納され、外面又は内面が拡散処理されたガラス管とを備えるＬＥＤランプが開示されている。この特許文献１は、ＬＥＤ素子から出射された光が、拡散処理されたガラス管を通過する際に拡散されて、ＬＥＤランプの外側に出射される。これにより、ＬＥＤランプが取り付けられた部屋等に、拡散光が照射される。
【先行技術文献】
【特許文献】
【０００３】
【特許文献１】特開２０１１−１３８６８１号公報（第４頁〜第５頁）
【発明の概要】
【発明が解決しようとする課題】
【０００４】
このように、特許文献１に開示されたＬＥＤランプは、光源を保護すると共に、光源から出射される光を拡散させるために、光源を有する発光部がガラス管等からなるカバーに内包されている。しかしながら、ガラス管等は、熱伝導率Ｋ（Ｗ／ｍ・Ｋ）が低いため、ＬＥＤランプの光源から発生する熱が放出され難い。また、ガラス管だけではなく、樹脂等の管も、同様に、放熱性が悪い。
【０００５】
本発明は、上記のような課題を背景としてなされたもので、放熱性が向上する拡散カバー、それを用いた照明ランプ、照明装置及びその拡散カバーの製造方法を提供するものである。
【課題を解決するための手段】
【０００６】
本発明に係る拡散カバーは、発光部が収容される光透過性のカバー本体と、カバー本体に設けられ、発光部から出射された光を拡散し、熱伝導性物質を備えた拡散膜と、を有することを特徴とする。
【発明の効果】
【０００７】
本発明によれば、拡散膜が熱伝導性物質を備えているため、放熱性を向上させることができる。
【図面の簡単な説明】
【０００８】
【図１】実施の形態１に係る照明ランプ１を示す斜視図である。
【図２】実施の形態１に係る照明ランプ１を示す正面断面図である。
【図３】実施の形態１に係る照明ランプ１を示す側面図である。
【図４】実施の形態１に係る照明ランプ１を示す側面断面図である。
【図５】第１変形例に係る照明ランプ１００を示す正面断面図である。
【図６】第２変形例に係る照明ランプ２００を示す側面断面図である。
【図７】第３変形例に係る照明ランプ３００を示す側面断面図である。
【図８】実施の形態１に係る照明装置３０を示す斜視図である。
【図９】実施の形態２に係る照明ランプ４００を示す側面断面図である。
【図１０】実施の形態３に係る照明ランプ５００を示す側面断面図である。
【図１１】実施の形態４に係る照明ランプ６００を示す正面図である。
【図１２】実施の形態４に係る照明装置６３０を示す正面図である。
【発明を実施するための形態】
【０００９】
以下、本発明に係る拡散カバー、照明ランプ、照明装置及び拡散カバーの製造方法の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１０】
実施の形態１．
図１は、実施の形態１に係る照明ランプ１を示す斜視図である。この図１に基づいて、照明ランプ１について説明する。図１に示すように、照明ランプ１は、光源モジュール１０と、給電口金１３と、アース口金１４と、拡散カバー２とを備えている。
【００１１】
（光源モジュール１０）
図２は、実施の形態１に係る照明ランプ１を示す正面断面図であり、図１のＡ−Ａ断面図である。図２に示すように、光源モジュール１０は、発光部１１と、この発光部１１が設置されるヒートシンク１２とを備えており、発光部１１は、例えば複数のＬＥＤ１１ａと、一面に配線パターン（図示せず）が設けられ、ＬＥＤ１１ａが実装された基板１１ｂとを備えている。
【００１２】
（ＬＥＤ１１ａ）
本実施の形態１では、発光素子がＬＥＤ１１ａの場合について説明する。上記のとおり、ＬＥＤ１１ａは基板１１ｂに実装されており、基板１１ｂの表面において、例えば、直線的に一列に配置されている。そして、ＬＥＤ１１ａと、基板１１ｂの一面に設けられた配線パターンとが接続されることによって、光源回路が形成されている。ＬＥＤ１１ａとしては、例えば、４４０ｎｍ〜４８０ｎｍ程度の波長の青色光を発するＬＥＤチップ上に、青色光を黄色光に波長変換する蛍光体を設けてパッケージ化された疑似白色ＬＥＤを用いることができる。
【００１３】
なお、ＬＥＤチップが基板１１ｂに直接実装されたＣＯＢ（Ｃｈｉｐ  Ｏｎ  Ｂｏａｒｄ）等を用いてもよい。また、ＬＥＤ１１ａの個数、配置又は種類は、照明ランプ１の用途等に応じて、適宜変更することも可能である。更に、ＬＥＤ１１ａではなく、ＬＤ（レーザダイオード）又は有機ＥＬ等の発光素子（デバイス）を使用することもできる。発光素子として、有機ＥＬ等を用いる場合、複数の発光素子を基板１１ｂに実装する代わりに、長手方向に延在した板状の１個の発光素子を、基板１１ｂに実装するようにしてもよい。
【００１４】
（基板１１ｂ）
基板１１ｂは、例えば長手方向（矢印Ｙ方向）に延在した部材である。前述の如く、この基板１１ｂには、その長手方向（矢印Ｙ方向）に沿って、複数のＬＥＤ１１ａが実装されている。また、基板１１ｂには、ダイオード、ヒューズ又は抵抗等からなり、ＬＥＤ１１ａを点灯させるための点灯回路素子（図示せず）も実装されている。そして、基板１１ｂは、その一端において、給電口金１３の給電端子１３ａと電気的に接続されており、外部電源から給電端子１３ａを介して、基板１１ｂの点灯回路素子が給電される。これにより、ＬＥＤ１１ａが点灯する。
【００１５】
基板１１ｂの材料としては、ガラスエポキシ材料、紙フェノール材料、コンポジット材料又はアルミニウム（Ａｌ）等の金属材料等が、部品の配置、放熱性、材料コストを考慮して選定され、使用されている。基板１１ｂの寸法として、厚さは、例えば１ｍｍ程度であるが、１ｍｍより厚くても薄くてもよい。なお、基板１１ｂの表面には、ＬＥＤ１１ａから出射される光の利用効率を向上させるために、塗布、印刷又は蒸着等の方法を用いて、反射材料が形成されてもよい。この場合、基板１１ｂにおけるＬＥＤ１１ａが実装された表面に、反射材料が形成されることにより、更に光の利用効率を向上させることができる。
【００１６】
（ヒートシンク１２）
ヒートシンク１２は、例えば長手方向（矢印Ｙ方向）に延在した部材であり、熱伝導性を備えた熱伝導部材である。このヒートシンク１２は、平坦部１２ａと円弧部１２ｂとで構成されており、ヒートシンク１２の平坦部１２ａに、発光部１１が設置されている。具体的には、発光部１１の基板１１ｂの長手方向（矢印Ｙ方向）が、ヒートシンク１２の平坦部１２ａの長手方向（矢印Ｙ方向）に対し平行に載置されている。
【００１７】
そして、ヒートシンク１２は、例えば接着材１２ｃを用いて、円筒状の拡散カバー２に接着されており、ヒートシンク１２における拡散カバー２に接着されている部分は、拡散カバー２の内壁に沿うように円弧状の円弧部１２ｂとなっている。このように、ヒートシンク１２は、発光部１１の基板１１ｂと拡散カバー２とを接続するものであり、これにより、ヒートシンク１２は、ＬＥＤ１１ａから発生する動作熱を、拡散カバー２に伝達して、照明ランプ１の外に放熱する。
【００１８】
なお、ヒートシンク１２は、照明ランプ１の長手方向（矢印Ｙ方向）を支持するために必要な剛性を備えており、線膨張係数が小さいことが好ましい。また、ヒートシンク１２は、金属材料を押出成形加工して形成してもよいが、押出成形以外の方法で形成してもよい。この金属材料としては、アルミニウム（Ａｌ）又は鉄（Ｆｅ）等を用いることができる。なお、ヒートシンク１２は、金属材料ではなく、セラミックでもよいし、熱伝導性を備えるフィラーが添加された高熱伝導性樹脂としてもよい。
【００１９】
（給電口金１３）
給電口金１３は、口金部の一例であり、図１に示すように、給電口金１３は、拡散カバー２の一端部に取り付けられている。この給電口金１３は、導電性を有する一対の給電端子１３ａと、これらの給電端子１３ａが埋め込まれた有底円筒状の給電口金筐体１３ｂ（ベース部材）とを備えている。給電端子１３ａは、前述の如く、基板１１ｂの一端と電気的に接続されており、照明器具２０の外部電源に接続されることにより、基板１１ｂの点灯回路素子が給電される。
【００２０】
給電端子１３ａは、例えば導電性を有する金属材料で形成されており、また、給電口金筐体１３ｂは、例えば絶縁性を有する樹脂材料で形成されている。これらの給電端子１３ａと給電口金筐体１３ｂとは、インサート成形等で一体的に形成されている。なお、給電口金１３は、例えばＧＸ１６タイプの口金を用いることができるが、そのほかの種類の口金、例えばＧ１３タイプ等の口金を用いてもよい。
【００２１】
（アース口金１４）
アース口金１４は、口金部の一例であり、図１に示すように、拡散カバー２の他端部に取り付けられている。このアース口金１４は、導電性を有するアース端子１４ａと、このアース端子１４ａが埋め込まれた有底円筒状のアース口金筐体１４ｂ（ベース部材）とを備えている。このアース端子１４ａが、照明器具２０のアース部に接続されることにより、照明ランプ１が接地される。
【００２２】
アース端子１４ａは、例えば導電性を有する金属材料で形成されており、また、アース口金筐体１４ｂは、例えば絶縁性を有する樹脂材料で形成されている。これらのアース端子１４ａとアース口金筐体１４ｂとは、インサート成形等で一体的に形成されている。なお、アース口金１４は、例えばＧＸ１６タイプの口金を用いることができるが、そのほかの種類の口金、例えばＧ１３タイプ等の口金を用いてもよい。
【００２３】
（拡散カバー２）
拡散カバー２は、例えば長手方向（矢印Ｙ方向）に延在した円筒状の部材であり、この場合、外管バルブ、筒管又は直管とも呼称される。この拡散カバー２は、発光部１１が収容されるものである。図３は、実施の形態１に係る照明ランプ１を示す側面図である。図３に示すように、拡散カバー２は、カバー本体３と、このカバー本体３に設けられた拡散膜４とを備えている。
【００２４】
（カバー本体３）
カバー本体３は、光透過性を有するものであり、例えばガラスとすることができるが、樹脂としてもよい。そして、このカバー本体３における外壁面３ａ及び内壁面３ｂに、拡散膜４が形成されている。このように、拡散膜４は、カバー本体３の外壁面３ａに形成された外面拡散膜４ａと、カバー本体３の内壁面３ｂに形成された内面拡散膜４ｂとを備えている。
【００２５】
（拡散膜４）
図４は、実施の形態１に係る照明ランプ１を示す側面断面図であり、図３の破線で囲まれた部分の拡大図である。図４に示すように、外面拡散膜４ａ及び内面拡散膜４ｂのうち、外面拡散膜４ａは、複数の空洞８及び熱伝導性物質５が添加された基材６で構成されている。この基材６は、例えば、アクリル、ポリカーボネート、エポキシ等の樹脂とすることができるが、低融点ガラスとしてもよい。また、空洞８は、発光部１１から出射された光を拡散するものであり、この外面拡散膜４ａにおいて、光を拡散する拡散媒体は、空洞８のみである。
【００２６】
また、熱伝導性物質５は、熱伝導性を備えた熱伝導粒体５ａであり、例えばチタン、アルミニウム、マグネシウム等の金属の紛体からなる。また、この熱伝導粒体５ａは、金属に限らず、チタニア、アルミナ、マグネシア、シリカ等の金属酸化物の紛体としてもよい。また、そのほかに、窒化ホウ素、炭化ケイ素、窒化アルミニウム等の熱伝導性フィラーとすることも可能である。なお、外面拡散膜４ａは、熱伝導性物質５のみが基材６に添加され、空洞８が添加されていない構成とすることもできる。
【００２７】
一方、内面拡散膜４ｂは、複数の拡散材７及び空洞８が添加された基材６で構成されている。この基材６も、例えば、アクリル、ポリカーボネート、エポキシ等の樹脂とすることができるが、低融点ガラスとしてもよい。そして、拡散材７及び空洞８のいずれも、発光部１１から出射された光を拡散するものであり、この内面拡散膜４ｂにおいては、光を拡散する拡散媒体は、拡散材７及び空洞８である。なお、拡散材７としては、例えばシリカ等の無機材料を使用することができるが、有機材料を使用してもよい。
【００２８】
次に、本実施の形態１に係る照明ランプ１の製造方法について説明する。先ず、外面拡散膜４ａの形成方法について説明する。基材６に熱伝導性物質５、例えば熱伝導粒体５ａが添加される。次に、この基材６が溶剤で液状化され、この液状化された基材６が、カバー本体３の外壁面３ａに塗布される。その後、この基材６が加熱されることにより、基材６は、乾燥及び硬化される。
【００２９】
また、その加熱の際に、基材６が硬化されると同時に、基材６の内部に空洞８が生成される反応が起きる。これにより、基材６の内部に空洞８が生成される。なお、その際、空洞８が生成される上で、その反応時間及び反応温度が適宜変更されることにより、空洞８の大きさ又は数等が制御される。これにより、カバー本体３の外壁面３ａに、空洞８及び熱伝導粒体５ａを備えた外面拡散膜４ａが形成される。
【００３０】
次に、内面拡散膜４ｂの形成方法について説明する。先ず、基材６に拡散材７が添加される。次に、この基材６が溶剤で液状化され、この液状化された基材６が、カバー本体３の内壁面３ｂに塗布される。その後、この基材６が加熱されることにより、基材６は、乾燥及び硬化される。
【００３１】
また、その加熱の際に、基材６が硬化されると同時に、基材６の内部に空洞８が生成される反応が起きる。これにより、基材６の内部に空洞８が生成される。なお、その際、空洞８が生成される上で、その反応時間及び反応温度が適宜変更されることにより、空洞８の大きさ又は数等が制御される。これにより、カバー本体３の内壁面３ｂに、拡散材７及び空洞８を備えた内面拡散膜４ｂが形成される。
【００３２】
以上の工程により、拡散カバー２が製造される。そして、この拡散カバー２の内部に発光部１１が収容されて、照明ランプ１が製造される。
【００３３】
次に、本実施の形態１に係る照明ランプ１の作用について説明する。本実施の形態１は、外面拡散膜４ａが熱伝導粒体５ａを備えている。このため、発光部１１から発生する熱が、拡散カバー２に伝達され、外面拡散膜４ａを効率的に伝わって照明ランプ１の外部の空気に放熱される。このように、照明ランプ１は、外面拡散膜４ａが熱伝導粒体５ａを備えているため、放熱性を高めることができる。また、外面拡散膜４ａは、空洞８を備えているため、この空洞８により、光の拡散性を高めることができる。これにより、放熱性を高めることができると共に、光の拡散性を向上させることができる。また、これは、既存のカバー本体３を使用して、そのカバー本体３に拡散膜４が形成されても、同様の効果を得ることができる。このように、本実施の形態１に係る照明ランプ１は、汎用性が極めて高い。
【００３４】
そして、内面拡散膜４ｂが、拡散材７及び空洞８を備えているため、この内面拡散膜４ｂにおいては、空洞８のみの外面拡散膜４ａよりも、更に光の拡散性が高い。これにより、発光部１１から出射された光は、内面拡散膜４ｂで拡散され、外面拡散膜４ａで更に拡散されて、外部に出射される。このように、本実施の形態１に係る照明ランプ１は、拡散性が極めて高い。
【００３５】
なお、拡散カバー２自体の放熱性を高めることを目的として、ガラス等のカバー本体３に凹凸を形成して擦りガラスとすることも考えられるが、この擦りガラスが、常時空気に触れると、擦りガラス自体が汚れる。これに対し、本実施の形態１は、カバー本体３に熱伝導粒体５ａを備えた外面拡散膜４ａを設けており、この外面拡散膜４ａが空気に触れている。このため、カバー本体３自体が空気に触れることがなく、カバー本体３は汚れない。更に、カバー本体３の外壁面３ａに外面拡散膜４ａが形成されているため、カバー本体３は、この外面拡散膜４ａで保護されている。このため、照明ランプ１は、カバー本体３の強度を維持し、拡散カバー２の変形を抑制することができる。また、これにより、拡散カバー２に収容された電子部品等が壊れ難くなり、その信頼性が向上する。
【００３６】
なお、外面拡散膜４ａにおける熱伝導粒体５ａの数が少ないと、放熱効果が低下し、また、外面拡散膜４ａにおける熱伝導粒体５ａの数が多いと、発光部１１から出射された光の透過率が低下する。また、外面拡散膜４ａにおける熱伝導粒体５ａの数が多いと、拡散膜４がカバー本体３から剥離し易くなる。更に、外面拡散膜４ａにおける熱伝導粒体５ａの大きさが小さいと、放熱効果が低下し、また、外面拡散膜４ａにおける熱伝導粒体５ａの大きさが大きいと、発光部１１から出射された光の透過率が低下する。更にまた、外面拡散膜４ａにおける熱伝導粒体５ａの大きさが大きいと、拡散膜４がカバー本体３から剥離し易くなる。このため、外面拡散膜４ａにおける熱伝導粒体５ａの数及び大きさは、光の透過性と放熱性とのバランス、密着性等を考慮して、決定される。
【００３７】
（第１変形例）
次に、本実施の形態１の第１変形例に係る照明ランプ１００について説明する。図５は、第１変形例に係る照明ランプ１００を示す正面断面図である。図５に示すように、拡散カバー１０２の周方向断面において、拡散カバー１０２の中心点Ｏと、ヒートシンク１２における平坦部１２ａと円弧部１２ｂとの両交点Ｈ１、Ｈ２とを結ぶ２本の線分の延長線が、拡散カバー１０２のカバー本体３の外壁と交差する点を、夫々Ａ１、Ａ２とする。このＡ１からＡ２までのカバー本体３の外壁の部分に、拡散膜１０４のうち、外面拡散膜１０４ａが形成されている。即ち、外面拡散膜１０４ａは、カバー本体３とヒートシンク１２とが接触している部分に形成されている。なお、内面拡散膜１０４ｂは、カバー本体３の全周に形成されている。
【００３８】
発光部１１から発生する熱は、その大半がヒートシンク１２に伝達し、更に拡散カバー１０２に伝達する。第１変形例では、外面拡散膜１０４ａが、カバー本体３とヒートシンク１２とが接触している部分に形成されているため、ヒートシンク１２から拡散カバー１０２に伝達した熱を、照明ランプ１００の外に効率的に放熱することができる。更に、外面拡散膜１０４ａが、カバー本体３の外周の全体に渡って形成されていないため、外面拡散膜１０４ａの形成コストを削減することができる。このように、第１変形例では、放熱効果を維持できると共に、コスト削減の効果を奏する。なお、外面拡散膜１０４ａは、光拡散性を有しない熱伝導膜で構成してもよい。
【００３９】
（第２変形例）
次に、本実施の形態１の第２変形例に係る照明ランプ２００について説明する。図６は、第２変形例に係る照明ランプ２００を示す側面断面図である。図６に示すように、第２変形例は、拡散カバー２０２の拡散膜２０４において、外面拡散膜２０４ａが、複数の空洞８及び熱伝導粒体５ａに加え、更に、複数の拡散材７を備えている。即ち、熱伝導粒体５ａ及び拡散材７という２種類の粒子が添加されている。なお、内面拡散膜２０４ｂは、照明ランプ１における内面拡散膜２０４ｂと同様である。この第２変形例においては、外面拡散膜２０４ａが複数の拡散材７を備えているため、熱伝導粒体５ａにより高い熱伝導性を維持できると共に、更に光の拡散性を高めることができるという効果を奏する。
【００４０】
（第３変形例）
次に、本実施の形態１の第３変形例に係る照明ランプ３００について説明する。図７は、第３変形例に係る照明ランプ３００を示す側面断面図である。図７に示すように、第３変形例は、拡散カバー３０２の拡散膜３０４において、外面拡散膜３０４ａが、拡散材７、空洞８及び熱伝導粒体５ａを備えており、内面拡散膜３０４ｂも、拡散材７、空洞８及び熱伝導粒体５ａを備えている。この第３変形例においては、外面拡散膜３０４ａ及び内面拡散膜３０４ｂのいずれも、拡散材７、空洞８及び熱伝導粒体５ａを備えているため、熱伝導粒体５ａによって更に熱伝導性を高めると共に、拡散材７及び空洞８によって光の拡散性を更に向上させている。
【００４１】
そして、カバー本体３に熱伝導粒体５ａを備えた内面拡散膜３０４ｂが形成されているため、ヒートシンク１２と拡散カバー２とを接着する接着材１２ｃと接触する面積が増え、密着性が向上する。また、これにより、接着材１２ｃからカバー本体３への熱の伝達性が向上する。このため、発光部１１から発生する熱を効率的に拡散カバー２に伝達させることができる。そして、拡散カバー２に伝達された熱が、外面拡散膜３０４ａに伝達されて、照明ランプ３００の外部に放熱される。このように、第３変形例は、外面拡散膜３０４ａ及び内面拡散膜３０４ｂのいずれも、熱伝導粒体５ａを備えているため、発光部１１から発生する熱を外部に放熱させる放熱効果が極めて高い。
【００４２】
（照明装置３０）
次に、本実施の形態１の照明装置３０について説明する。図８は、実施の形態１に係る照明装置３０を示す斜視図である。図８に示すように、照明装置３０は、実施の形態１に係る直管の形状をなしている照明ランプ１と、この照明ランプ１が取り付けられる照明器具２０とを備えている。照明器具２０は、例えば部屋の天井に取り付けられ、長手方向（矢印Ｙ方向）に延在した本体部２１と、本体部２１の両端部に形成されたソケット２２とを備えている。
【００４３】
照明ランプ１は、その両端部が、ソケット２２に差し込まれ、照明器具２０に取り付けられる。その際、給電口金１３の給電端子１３ａがソケット２２の端子と接続され、また、アース口金１４のアース端子１４ａがソケット２２の端子と接続される。この照明装置３０は、直管の形状をなしている照明ランプ１を備えているものであり、照明装置３０が、例えば部屋の天井に取り付けられることにより、部屋を照らすものである。
【００４４】
実施の形態２．
次に、本実施の形態２に係る照明ランプ４００について説明する。図９は、実施の形態２に係る照明ランプ４００を示す側面断面図である。本実施の形態２は、熱伝導性物質５が、熱伝導拡散材５ｂである点で、実施の形態１と相違する。本実施の形態２では、実施の形態１と共通する部分は同一の符号を付して説明を省略し、実施の形態１との相違点を中心に説明する。
【００４５】
図９に示すように、拡散カバー４０２における拡散膜４０４は、カバー本体３の外壁面３ａに形成された外面拡散膜４０４ａと、カバー本体３の内壁面３ｂに形成された内面拡散膜４０４ｂとを備えている。外面拡散膜４０４ａは、複数の空洞８及び熱伝導性物質５が添加された基材６で構成されており、本実施の形態２では、熱伝導性物質５は、熱伝導拡散材５ｂである。この熱伝導拡散材５ｂは、拡散材７の表面に熱伝導加工が施されたものであり、これにより、光を拡散させることができると共に、熱を効率的に伝えることができる。熱伝導加工は、例えば、金属蒸着等が挙げられる。このように、外面拡散膜４０４ａにおいて、光を拡散する拡散媒体は、空洞８及び熱伝導拡散材５ｂである。なお、内面拡散膜４０４ｂの構成は、実施の形態１と同様である。
【００４６】
以上のように、実施の形態２は、外面拡散膜４０４ａが熱伝導拡散材５ｂを備えている。このため、発光部１１から発生する熱が、拡散カバー２に伝達されても、その熱が、外面拡散膜４０４ａを効率的に伝わって空気に放熱される。更に、この熱伝導拡散材５ｂは、光拡散性を備えているため、外面拡散膜４０４ａにおいて、空洞８と共に、光を充分に拡散させることができる。このように、実施の形態２では、外面拡散膜４０４ａにおいて、熱伝導拡散材５ｂにより高い熱伝導性を維持できると共に、更に光の拡散性を高めることができるという効果を奏する。
【００４７】
なお、この実施の形態２に係る照明ランプ４００は、実施の形態１に係る照明ランプ１のように、第１変形例、第２変形例、第３変形例といった構成に適宜変更することも可能である。
【００４８】
実施の形態３．
次に、本実施の形態３に係る照明ランプ５００について説明する。図１０は、実施の形態３に係る照明ランプ５００を示す側面断面図である。本実施の形態３は、拡散膜５０４における外面拡散膜５０４ａが、１層構造ではなく、２層構造となっている点で、実施の形態１と相違する。本実施の形態３では、実施の形態１と共通する部分は同一の符号を付して説明を省略し、実施の形態１との相違点を中心に説明する。
【００４９】
図１０に示すように、実施の形態３は、拡散カバー５０２における外面拡散膜５０４ａが、空洞８及び熱伝導粒体５ａが基材６に添加された層と、空洞８及び熱伝導拡散材５ｂが基材６に添加された層とで構成されている。このように、外面拡散膜５０４ａが２層構造であっても、１層構造の場合と同様の効果を奏する。なお、外面拡散膜５０４ａは、３層以上の多層構造とすることも可能である。また、これは、内面拡散膜５０４ｂにおいても、同様に多層構造とすることができる。
【００５０】
また、実施の形態３は、外面拡散膜５０４ａにおける熱伝導性物質５として、熱伝導粒体５ａと熱伝導拡散材５ｂとのいずれも備えている。このため、熱伝導粒体５ａ及び熱伝導拡散材５ｂによる極めて高い熱伝導性を有すると共に、更に光の拡散性を高めることができるという効果を奏する。なお、熱伝導粒体５ａと熱伝導拡散材５ｂとは、層に分けて設けるだけでなく、同層において、熱伝導粒体５ａと熱伝導拡散材５ｂとのいずれも基材６に添加されてもよい。
【００５１】
なお、この実施の形態２に係る照明ランプ４００は、実施の形態１に係る照明ランプ１のように、第１変形例、第２変形例、第３変形例といった構成に適宜変更することも可能である。
【００５２】
実施の形態４．
次に、本実施の形態４に係る照明ランプ６００について説明する。図１１は、実施の形態４に係る照明ランプ６００を示す正面図である。本実施の形態４は、拡散カバー６０２が、電球のグローブの形状をなしており、電球形の照明ランプ６００である点で、実施の形態１と相違する。本実施の形態４では、実施の形態１と共通する部分は同一の符号を付して説明を省略し、実施の形態１との相違点を中心に説明する。
【００５３】
図１１に示すように、照明ランプ６００は、拡散カバー６０２と、筐体６１０と、口金部６１１とを備えている。このうち、筐体６１０は、金属筐体部６１０ａと樹脂筐体部６１０ｂとを備えている。
【００５４】
拡散カバー６０２は、形状以外の構成が実施の形態１における拡散カバー６０２と同様であり、その形状がドーム状である点で、実施の形態１と相違する。この拡散カバー６０２が、筒状の金属筐体部６１０ａの一端部に嵌合しており、この金属筐体部６１０ａには、複数の放熱フィンが形成されている。そして、金属筐体部６１０ａの他端部には、筒状の樹脂筐体部６１０ｂの一端部が嵌合しており、この樹脂筐体部６１０ｂは、金属筐体部６１０ａと口金部６１１とを絶縁するものである。更に、樹脂筐体部６１０ｂの他端部に筒状の口金部６１１の一端部が嵌合しており、この口金部６１１の他端部には口金端子６１１ａが形成されている。そして、外部電源から口金端子６１１ａを介して照明ランプ６００の内部に収容される発光部（図示せず）が給電される。
【００５５】
本実施の形態４における拡散カバー６０２は、前述の如く、形状以外の構成が、実施の形態１と同様である。このため、実施の形態４のような電球形の照明ランプ６００においても、実施の形態１で得られる極めて高い放熱効果を得ることができる。
【００５６】
（照明装置６３０）
次に、本実施の形態４の照明装置６３０について説明する。図１２は、実施の形態４に係る照明装置６３０を示す正面図である。図１２に示すように、照明装置６３０は、実施の形態４に係る電球の形状をなしている拡散カバー６０２を備えた電球形の照明ランプ６００と、この照明ランプ６００が取り付けられる照明器具６２０とを備えている。照明器具６２０は、例えば部屋の天井に設けられており、器具取付部６２１と、器具本体６２２と、ソケット６２３と、リフレクタ６２４とを備えている。
【００５７】
天井の器具取付部６２１には、照明ランプ６００を格納できる大きさの孔が設けられており、これが器具本体６２２となっている。この器具本体６２２は、奥部に、照明ランプ６００が取り付けられるソケット６２３が設けられており、このソケット６２３に、照明ランプ６００の口金部６１１が取り付けられることによって、照明ランプ６００が器具本体６２２に装着される。なお、この器具本体６２２の内壁には、照明ランプ６００から出射された光を反射するためのドーム状のリフレクタ６２４が設けられている。
【００５８】
このように、実施の形態４の照明ランプ６００は、天井に設置して天井用の照明装置６３０として使用することが可能であるが、そのほかの照明装置６３０として使用することも可能である。例えばデスクに設置してデスクを照らす照明装置６３０として使用することもできる。
【符号の説明】
【００５９】
１  照明ランプ、２  拡散カバー、３  カバー本体、３ａ  外壁面、３ｂ  内壁面、４  拡散膜、４ａ  外面拡散膜、４ｂ  内面拡散膜、５  熱伝導性物質、５ａ  熱伝導粒体、５ｂ  熱伝導拡散材、６  基材、７  拡散材、８  空洞、１０  光源モジュール、１１  発光部、１１ａ  ＬＥＤ、１１ｂ  基板、１２  ヒートシンク、１２ａ  平坦部、１２ｂ  円弧部、１２ｃ  接着材、１３  給電口金、１３ａ  給電端子、１３ｂ  給電口金筐体、１４  アース口金、１４ａ  アース端子、１４ｂ  アース口金筐体、２０  照明器具、２１  本体部、２２  ソケット、３０  照明装置、１００  照明ランプ、１０２  拡散カバー、１０４  拡散膜、１０４ａ  外面拡散膜、１０４ｂ  内面拡散膜、２００  照明ランプ、２０２  拡散カバー、２０４  拡散膜、２０４ａ  外面拡散膜、２０４ｂ  内面拡散膜、３００  照明ランプ、３０２  拡散カバー、３０４  拡散膜、３０４ａ  外面拡散膜、３０４ｂ  内面拡散膜、４００  照明ランプ、４０２  拡散カバー、４０４  拡散膜、４０４ａ  外面拡散膜、４０４ｂ  内面拡散膜、５００  照明ランプ、５０２  拡散カバー、５０４  拡散膜、５０４ａ  外面拡散膜、５０４ｂ  内面拡散膜、６００  照明ランプ、６０２  拡散カバー、６１０  筐体、６１０ａ  金属筐体部、６１０ｂ  樹脂筐体部、６１１  口金部、６１１ａ  口金端子、６２０  照明器具、６２１  器具取付部、６２２  器具本体、６２３  ソケット、６２４  リフレクタ、６３０  照明装置。
【図１】
2015220137.tif 000003
【図２】
2015220137.tif 000004
【図３】
2015220137.tif 000005
【図４】
2015220137.tif 000006
【図５】
2015220137.tif 000007
【図６】
2015220137.tif 000008
【図７】
2015220137.tif 000009
【図８】
2015220137.tif 000010
【図９】
2015220137.tif 000011
【図１０】
2015220137.tif 000012
【図１１】
2015220137.tif 000013
【図１２】
2015220137.tif 000014